(57)【要約】【課題】  チャイルドシートに座った子供の周囲に十分な居住空間を形成することができると共に、製造容易でかつ安価に製造することができる自転車のチャイルドシート用レインカバーを提供する。【解決手段】  可撓性及び弾力性を有するリング状の張り枠３と、この張り枠３の内側に張設された透明又は半透明の内カバー体４と、張り枠３から下側に垂下された外カバー体５とを備え、内カバー体４がチャイルドシートの座部の上側を後上がりに傾斜して覆い、外カバー体５が背もたれ部の後側、背もたれ部及び座部の両側方及び座部の前部下方を覆うように、張り枠３が座部の上側に後上がりに傾斜して配置可能とされている。【選択図】図１
2014024517.tif 000002
【特許請求の範囲】
【請求項１】
可撓性及び弾力性を有するリング状の張り枠（３）と、この張り枠（３）の内側に張設された透明又は半透明の内カバー体（４）と、張り枠（３）から下側に垂下された外カバー体（５）とを備え、
内カバー体（４）がチャイルドシート（１２）の座部（１５）の上側を後上がりに傾斜して覆い、外カバー体（５）が背もたれ部（１４）の後側、背もたれ部（１４）及び座部（１５）の両側方及び座部（１５）の前部下方を覆うように、張り枠（３）が座部（１５）の上側に後上がりに傾斜して配置可能とされていることを特徴とする自転車のチャイルドシート用レインカバー。
【請求項２】
張り枠（３）の後部側がチャイルドシート（１２）の背もたれ部（１４）の左右両側縁部と上縁部とに沿うと共に、張り枠（３）の前部側がチャイルドシート（１２）の座部（１５）の左右両側縁部と前縁部とに沿うように、張り枠（３）が背もたれ部（１４）の前側であって座部（１５）の上側に配置可能とされていることを特徴とする請求項１に記載の自転車のチャイルドシート用レインカバー。
【請求項３】
外カバー体（５）の後部上側が張り枠（３）の後部に対してスライドファスナー（２３）で開閉自在に連結されていることを特徴とする請求項１又は２に記載の自転車のチャイルドシート用レインカバー。
【請求項４】
自転車（１１）のフロントに装着されるチャイルドシート用レインカバーであって、前記外カバー体（５）の後部上側と前部上側とが透明又は半透明とされていることを特徴とする請求項１〜３のいずれかに記載の自転車のチャイルドシート用レインカバー。
【発明の詳細な説明】
【技術分野】
【０００１】
本発明は、自転車のチャイルドシート用レインカバーに関するものである。
【背景技術】
【０００２】
従来の自転車のチャイルドシート用レインカバーには、下端が開口した袋状に形成し、このカバーをチャイルドシートの上側から被せて装着するようにしたものがある（例えば引用文献１）。
また、他の従来の自転車のチャイルドシート用レインカバーには、チャイルドシートの周囲を取り囲むように複数のフレームを設け、この複数のフレームでシート状のレインカバー本体をチャイルドシートの周囲を取り囲むように保形し、これにより、チャイルドシートに座った子供の周囲に十分な居住空間を形成するようにしたものがある（例えば引用文献２）。
【先行技術文献】
【特許文献】
【０００３】
【特許文献１】実用新案登録第３１６６３１４号公報
【特許文献２】特開２００８−６２８２３号公報
【発明の概要】
【発明が解決しようとする課題】
【０００４】
しかし、前者の従来の場合、チャイルドシート用レインカバーを立体形状に保形するためのフレームが設けられていないため、チャイルドシートに座った子供の周囲に十分な居住空間が形成されず、チャイルドシートへの座り心地が悪くなるという問題があった。
また、後者の従来の場合は、チャイルドシートに座った子供の周囲に十分な居住空間を確保することができるが、複数のフレームをチャイルドシートの周囲を取り囲むように取り付ける必要があり、チャイルドシート用レインカバーの製造が面倒で、その製造費用が高く付くという問題があった。
【０００５】
本発明は上記問題点に鑑み、チャイルドシートに座った子供の周囲に十分な居住空間を形成することができると共に、製造容易でかつ安価に製造することができる自転車のチャイルドシート用レインカバーを提供することを目的としている。
【課題を解決するための手段】
【０００６】
本発明における課題解決のための具体的手段は、次の通りである。
この技術的課題を解決する本発明の技術的手段は、可撓性及び弾力性を有するリング状の張り枠３と、この張り枠３の内側に張設された透明又は半透明の内カバー体４と、張り枠３から下側に垂下された外カバー体５とを備え、
内カバー体４がチャイルドシート１２の座部１５の上側を後上がりに傾斜して覆い、外カバー体５が背もたれ部１４の後側、背もたれ部１４及び座部１５の両側方及び座部１５の前部下方を覆うように、張り枠３が座部１５の上側に後上がりに傾斜して配置可能とされている点にある。
【０００７】
また、本発明の他の技術的手段は、張り枠３の後部側がチャイルドシート１２の背もたれ部１４の左右両側縁部と上縁部とに沿うと共に、張り枠３の前部側がチャイルドシート１２の座部１５の左右両側縁部と前縁部とに沿うように、張り枠３が背もたれ部１４の前側であって座部１５の上側に配置可能とされている点にある。
また、本発明の他の技術的手段は、外カバー体５の後部上側が張り枠３の後部に対してスライドファスナー２３で開閉自在に連結されている点にある。
また、本発明の他の技術的手段は、自転車１１のフロントに装着されるチャイルドシート用レインカバーであって、前記外カバー体５の後部上側と前部上側とが透明又は半透明とされている点にある。
【発明の効果】
【０００８】
本発明によれば、チャイルドシートの周囲をチャイルドシート用レインカバーで覆っても、リング状の張り枠により内カバー体及び外カバー体を効果的に保形して、チャイルドシートに座った子供の周囲に十分な居住空間を形成することができ、チャイルドシートへの座り心地がよいものとなる。
しかも、チャイルドシート用レインカバーは、可撓性及び弾力性を有する１つのリング状の張り枠があれば、内カバー体及び外カバー体を保形して、子供の周囲に十分な居住空間を形成することができるため、構成部材が少なくて済み、チャイルドシート用レインカバーを製造容易でかつ安価に製造することができる。
【図面の簡単な説明】
【０００９】
【図１】本発明の第１実施形態を示す自転車のフロント側に装着されるチャイルドシート用レインカバーの斜視図である。
【図２】同チャイルドシート用レインカバーの後部側の分解平面図である。
【図３】同チャイルドシート用レインカバーの前部側の分解平面図である。
【図４】本発明の第２実施形態を示す自転車のリヤ側に装着されるチャイルドシート用レインカバーの斜視図である。
【図５】同チャイルドシート用レインカバーの後部側の分解平面図である。
【図６】同チャイルドシート用レインカバーの前部側の分解平面図である。
【図７】第１実施形態のチャイルドシート用レインカバーを自転車のフロント側に装着すると共に、第２実施形態のチャイルドシート用レインカバーを自転車のリヤ側に装着した状態の自転車の側面図である。
【発明を実施するための形態】
【００１０】
以下、本発明の実施の形態を図面に基づいて説明する。
図１〜図３は本発明の第１実施形態を示している。図１〜図３において、自転車のチャイルドシート用レインカバー１は、自転車のフロント側に装着されるレインカバーであって、可撓性及び弾力性を有するリング状の張り枠３と、この張り枠３の内側に張設された透明又は半透明の内カバー体４と、張り枠３の略全周から下側に垂下された外カバー体５とを備える。
【００１１】
張り枠３は、可撓性及び弾力性を有する線材７と、布等を長い筒状に縫着等して形成された可撓性を有する１又は複数の筒状部材８とを有し、筒状部材８に線材７を挿入してリング状に形成されている。
張り枠３は、図７に示すように自転車１１のフロント側に取り付けたチャイルドシート１２（１２Ｆ）の大きさに対向して大きなリング状に形成されており、内カバー体４が自転車１１の背もたれ部１４の前側であって座部１５の上側を後上がりに傾斜して覆い、外カバー体５が背もたれ部１４の後側、背もたれ部１４及び座部１５の両側方及び座部１５の前部下方を覆うように、張り枠３をチャイルドシート１２の背もたれ部１４の前側であって座部１５の上側に後上がりに傾斜して配置可能とされている。
【００１２】
また、張り枠３の後部側がチャイルドシート１２Ｆの背もたれ部１４の左右両側縁部と上縁部とに沿うと共に、張り枠３の前部側がチャイルドシート１２Ｆの座部１５の左右両側縁部と前縁部とに沿うように、張り枠３が背もたれ部１４の前側であって座部１５の上側に配置可能とされている。
内カバー体４は透明又は半透明のビニール等の合成樹脂シートにより構成され、略円形に形成されている。内カバー体４の外周部が張り枠３の筒状部材８に連結されて、内カバー体４は張り枠３の内側に張設されている。
【００１３】
外カバー体５は、後部上カバー体１７と後部下カバー体１８と前部上カバー体１９と前部下カバー体２０とを備える。後部上カバー体１７の上縁部が張り枠３の後部に連結され、後部下カバー体１８の上縁部が後部上カバー体１７の下端に連結されている。前部上カバー体１９の上縁部が張り枠３の前部に連結され、前部下カバー体２０の上縁部が前部上カバー体１９の下端に連結されている。
【００１４】
後部上カバー体１７と前部上カバー体１９とは、透明又は半透明のビニール等の合成樹脂シートにより構成され、後部下カバー体１８と前部下カバー体２０の上部とは、不透明の防水性及び撥水性の高い布等により構成されている。
従って、外カバー体５の後部上側と前部上側とが透明又は半透明とされ、これにより、自転車１１を運転する者の前方視界がチャイルドシート用レインカバー１により妨げられるのを防止している。
【００１５】
後部上カバー体１７の上縁部はその両側部から左右中央部に亘ってスライドファスナー２３により張り枠３の後部に連結されており、従って、外カバー体５の後部上側が張り枠３の後部に対してスライドファスナー２３で開閉自在に連結されている。これにより、外カバー体５の後部上側と張り枠３との間を開閉自在に開いて、ここから子供をチャイルドシート１２Ｆ上に座らせることができるように構成されている。
【００１６】
後部下カバー体１８の左右両側の前端部に雌ホック２５が設けられ、前部下カバー体２０の左右両側の後端部に雄ホック２６が設けられ、後部下カバー体１８の左右両側の前端部と前部下カバー体２０の左右両側の後端部とは雄ホック２６と雌ホック２５とにより着脱自在に連結固定されている。また、図７に示すように、後部下カバー体１８の左右両側の前端部と前部下カバー体２０の左右両側の後端部との間に自転車１１のハンドル１６が挿通されるようになっている。
【００１７】
後部下カバー体１８の下縁部及び前部下カバー体２０の下縁部に折り返して縫着してなる筒状の縁取部２７が形成され、この縁取部２７にゴム紐２９が後部下カバー体１８の下縁部及び前部下カバー体２０の下縁部を縮めるべく挿入保持されている。
チャイルドシート用レインカバー１には１又は複数のベルト部材２８が具備され、張り枠３の側部等を１又は複数のベルト部材２８でチャイルドシート１２や自転車１１のハンドル１６等の適所に縛り付けるようにしている。これにより、張り枠３をチャイルドシート１２に適合するように変形保持させようにしている。また、張り枠３の前端部に係合フック３３が取り付けられている。
【００１８】
なお、図１に示すように、前部上カバー体１９の左右両側の後端部に開口を設けてその開口をメッシュ部材３０で塞いでなる外気導入口３１を設けると共に、外気導入口３１の前方に撥水性の布等を張り枠３と前部下カバー体２０とに連結してなる補強部材３２を設けるようにしてもよい。
前記第１実施形態によれば、自転車１１のフロント側に取り付けたチャイルドシート１２Ｆに、チャイルドシート用レインカバー１を上側から被せて、張り枠３を背もたれ部１４の前側であって座部１５の上側に後上がりに傾斜して配置すると、内カバー体４が背もたれ部１４の前側であって座部１５の上側を後上がりに傾斜して覆い、外カバー体５が背もたれ部１４の後側、背もたれ部１４及び座部１５の両側方及び座部１５の前部下方を覆う。また、張り枠３の後部側がチャイルドシート１２Ｆの背もたれ部１４の左右両側縁部と上縁部とに沿うと共に、張り枠３の前部側がチャイルドシート１２Ｆの座部１５の左右両側縁部と前縁部とに沿うように、張り枠３が背もたれ部１４の前側であって座部１５の上側に配置される。
【００１９】
従って、チャイルドシート１２Ｆの周囲をチャイルドシート用レインカバー１で覆っても、リング状の張り枠３により内カバー体４及び外カバー体５を効果的に保形して、チャイルドシート１２Ｆに座った子供の周囲に十分な居住空間を形成することができ、チャイルドシート１２Ｆへの座り心地がよいものとなる。しかも、チャイルドシート用レインカバー１は、可撓性及び弾力性を有する１つのリング状の張り枠３があれば、内カバー体４及び外カバー体５を保形して、子供の周囲に十分な居住空間を形成することができるため、構成部材が少なくて済み、チャイルドシート用レインカバー１を製造容易でかつ安価に製造することができる。
【００２０】
そして、チャイルドシート１２Ｆの周囲をチャイルドシート用レインカバー１で覆った状態で、チャイルドシート１２Ｆに子供を座らせるには、スライドファスナー２３をスライド操作して、外カバー体５の後部上側と張り枠３の後部との間を開いて、張り枠３の可撓性乃至弾力性を利用して、図１に２点鎖線で示すように、張り枠３の後部を前側に倒せばよく、これにより、外カバー体５の後部上側と張り枠３の後部との間を大きく開くことができる。そして、張り枠３の後部を係合フック３３に係合することによって、外カバー体５の後部上側と張り枠３の後部との間が大きく開いた状態に保持しておくことができ、ここから子供をチャイルドシート１２Ｆ上に簡単に座らせることができる。
【００２１】
なお、係合フック３３の取り付け箇所は張り枠３の前端部に限定されず、張り枠３の後端部その他に係合フック３３を取り付けるようにしてもよい。
図４〜図６は本発明の第２実施形態を示している。図４〜図６において、自転車１１のチャイルドシート用レインカバー１は、自転車１１のリヤ側に装着されるレインカバーであって、第１実施形態の場合と同様に、可撓性及び弾力性を有するリング状の張り枠３と、この張り枠３の内側に張設された透明又は半透明の内カバー体４と、張り枠３の略全周から下側に垂下された外カバー体５とを備える。
【００２２】
外カバー体５は、後部上カバー体１７と後部下カバー体１８と前部カバー体３５とを備え、これら後部上カバー体１７と後部下カバー体１８と前部カバー体３５とは、全て不透明であって防水性及び撥水性の高い布等により構成されている点が第１実施形態の場合とは異なっている。従って、第２実施形態の場合、外カバー体５の後部上側及び前部上側も不透明とされている。これは、本実施形態のチャイルドシート用レインカバー１は、自転車１１のリヤ側に装着されるレインカバーであり、自転車１１を運転する者の前方視界をチャイルドシート用レインカバー１が妨げるおそれがないからである。
【００２３】
前部カバー体３５の前側下部に、逆Ｕ字状の切欠凹部３７が設けられ、この切欠凹部３７によって自転車１１の後荷台４６の基部又は後輪用泥除けステー４７を避けることができるように構成されている。
後部下カバー体１８の下縁部及び前部カバー体３５の下縁部に折り返して縫着してなる筒状の縁取部２７が形成され、この縁取部２７にゴム紐２９が後部下カバー体１８の下縁部及び前部カバー体３５の下縁部を縮めるべく挿入保持されている。また、切欠凹部３７の端縁部にも折り返して縫着してなる筒状の縁取部２７が形成され、この縁取部２７の左右両側にゴム紐２９が切欠凹部３７の端縁部を縮めるべく挿入保持されている。
【００２４】
その他の点は前記第１実施形態の場合と同様な構成であり、外カバー体５の後部上側が張り枠３の後部に対してスライドファスナー２３で開閉自在に連結されている。
なお、図４に示すように、前部カバー体３５の前側上部と張り枠３の前部との間に開口を設け、この開口をメッシュ部材３０で塞ぐことにより、チャイルドシート用レインカバー１の前部に外気導入口３１を設けるようにしてもよい。そして、この外気導入口３１を、撥水性の布等で構成した覆い体３９で前側から覆って雨水等が外気導入口３１からチャイルドシート用レインカバー１内に侵入しないようにすると共に、覆い体３９の上縁部を張り枠３の前部に縫着等により連結するようにしてもよい。
【００２５】
また、図４に示すように、後部上カバー体１７と後部下カバー体１８との連結部分に排気口４１を設けるようにしてもよい。
前記第２実施形態によれば、図７に示すように、自転車１１のリヤ側に取り付けたチャイルドシート１２（１２Ｒ）に、チャイルドシート用レインカバー１を上側から被せて、張り枠３を背もたれ部１４の前側であって座部１５の上側に後上がりに傾斜して配置すると、内カバー体４が背もたれ部１４の前側であって座部１５の上側を後上がりに傾斜して覆い、外カバー体５が背もたれ部１４の後側、背もたれ部１４及び座部１５の両側方及び座部１５の前部下方を覆う。また、張り枠３の後部側がチャイルドシート１２Ｒの背もたれ部１４の左右両側縁部と上縁部とに沿うと共に、張り枠３の前部側がチャイルドシート１２Ｒの座部１５の左右両側縁部と前縁部とに沿うように、張り枠３が背もたれ部１４の前側であって座部１５の上側に配置される。
【００２６】
従って、チャイルドシート１２Ｒに座った子供の周囲に十分な居住空間を形成することができる。しかも、チャイルドシート用レインカバー１は、構成部材が少なくて済み、チャイルドシート用レインカバー１を製造容易でかつ安価に製造することができる。
【符号の説明】
【００２７】
１      チャイルドシート用レインカバー
３      張り枠
４      内カバー体
５      外カバー体
１１    自転車
１２    チャイルドシート
１４    背もたれ部
１５    座部
２３    スライドファスナー
【図１】
2014024517.tif 000003
【図２】
2014024517.tif 000004
【図３】
2014024517.tif 000005
【図４】
2014024517.tif 000006
【図５】
2014024517.tif 000007
【図６】
2014024517.tif 000008
【図７】
2014024517.tif 000009